(57)【要約】【課題】地上波アナログチューナが使用されていない場合には地上波アナログＥＰＧ情報の取得を停止する省エネ型ＡＶ装置を提供する。【解決手段】本発明は、地上波アナログチューナと、待機電源状態を検知して電源状態を待機状態から切り換え、地上波アナログチューナにて取得した信号から地上波アナログ放送のＥＰＧ情報を取得するアナログＥＰＧ取得部と、地上波アナログ放送が停波したことを検知する停波検知部と、停波検知部での検知結果が停波したとの検知結果である場合には、それ以降アナログＥＰＧ取得部が起動しない状態にする停止部と、を有する省エネ型ＡＶ装置を提供する。【選択図】図４
2008118487.tif 000002
【特許請求の範囲】
【請求項１】
地上波アナログチューナと、
待機電源状態を検知して電源状態を待機状態から切り換え、地上波アナログチューナにて取得した信号から地上波アナログ放送のＥＰＧ情報を取得するアナログＥＰＧ取得部と、
地上波アナログ放送が停波したことを検知する停波検知部と、
停波検知部での検知結果が停波したとの検知結果である場合には、それ以降アナログＥＰＧ取得部が起動しない状態にする停止部と、
を有する省エネ型ＡＶ装置。
【請求項２】
アナログＥＰＧ取得部は、前記切換動作として電源状態を装置稼動状態に切り換える動作を実行する稼動状態切換手段を有する請求項１に記載の省エネ型ＡＶ装置。
【請求項３】
停波検知部は、地上波アナログ放送に含まれるべき同期信号の検出・非検出に基づいて前記停波の検知を行う同期信号検出手段を有する請求項１又は２に記載の省エネ型ＡＶ装置。
【請求項４】
同期信号検出手段は、前記同期信号非検出が所定のタイミングで所定の回数連続したことで前記停波を検知する請求項３に記載の省エネ型ＡＶ装置。
【請求項５】
地上波アナログチューナを有する省エネ型ＡＶ装置の動作方法であって、
待機電源状態を検知して電源状態を待機状態から切り換え、地上波アナログチューナにて取得した信号から地上波アナログ放送のＥＰＧ情報を取得するアナログＥＰＧ取得ステップと、
地上波アナログ放送が停波したことを検知する停波検知ステップとを有し、
停波検知ステップでの検知結果が停波したとの検知結果である場合には、それ以降アナログＥＰＧ取得ステップを停止することを特徴とする省エネ型ＡＶ装置の動作方法。
【発明の詳細な説明】
【技術分野】
【０００１】
本発明は、地上波デジタル放送への完全移行が行われ地上波アナログ放送が終了（停波）した場合には、地上波アナログＥＰＧ情報を取得する一連の機能を停止する省エネ型ＡＶ装置に関する。
【背景技術】
【０００２】
近年、２０１１年の地上波アナログ放送から地上波デジタル放送への完全移行に向け、その移行準備が進められている。これに伴い、地上波デジタル放送を受信するための地上波デジタルチューナを内蔵したＡＶ装置が販売されているが、地上波デジタル放送の開始時期は各地域にて異なり、地上波アナログ放送と地上波デジタル放送の混在する期間が続くことから、多くのＡＶ装置は地上波アナログチューナと地上波デジタルチューナの両方を搭載している。
【０００３】
地上波アナログ放送の番組表は、電子番組表（Ｅｌｅｃｔｏｒｏｎｉｃ  Ｐｒｏｇｒａｍ  Ｇｕｉｄｅ、ＥＰＧ）としてインターネットを介して取得したり、アナログ放送の受信装置により、地上波アナログ放送の放送波から取得することが可能である。アナログ放送波からＥＰＧ情報を取得するものとして、例えばＡＤＡＭＳ−ＥＰＧ（ＴＶ−Ａｓａｈｉ  Ｄａｔａ  ａｎｄ  Ｍｕｌｔｉｍｅｄｉａ  Ｓｅｒｖｉｃｅ−ＥＰＧ）がある。このＡＤＡＭＳ−ＥＰＧは、地上波アナログ放送電波のＶＢＩ（垂直帰線消去期間、Ｖｅｒｔｉｃａｌ  Ｂｌａｎｋｉｎｇ  Ｉｎｔｅｒｖａｌ）を使用してＥＰＧで使用する番組表データを伝送するサービスをいう。受信装置では、このようなサービスにより送信されたＥＰＧ情報を展開、復号することにより、ＥＰＧを表示できるようになっている。通常、ＥＰＧ情報は、地上波アナログ放送中に１日に数回送信されており、受信装置においては、ＥＰＧ情報が放送されている所定の時間に受信装置の電源が待機状態の場合に、ＥＰＧ情報の取得を行っている。受信装置が稼動状態ではＥＰＧ情報の取得を行わない。その理由は、受信装置が稼動状態であるということは、ユーザーが受信装置で何らかの動作（ホスト局以外を受信、録画、再生等）を行っていることを意味する一方で、ＥＰＧ情報を取得するためには、ホスト局受信状態とし、ＥＰＧデータ取得のため一定の時間を要し、その間、他の動作（録画、再生等）は行うことができないからである。
【０００４】
図６に、地上波アナログ放送を受信可能なＡＶ装置において、地上波アナログ放送からＥＰＧ情報を取得する動作の一例を示している。まず、地上波アナログ放送中のＥＰＧ情報取得を行うように設定している場合には（Ｓ０６０１ＹＥＳ）、所定のＥＰＧ情報取得時刻にＡＶ装置の電源を稼動状態とする（Ｓ０６０２）。そして、地上波アナログ放送中のＥＰＧ情報を受信し（Ｓ０６０３）、取得した情報のエラー検出を行い（Ｓ０６０４）、エラーが検出されないか（Ｓ０６０４ＮＯ）、規定値以下のエラー訂正回数にてエラー訂正が完了した場合には（Ｓ０６０５、Ｓ０６０６ＹＥＳ）、取得したＥＰＧ情報を保存する（Ｓ０６０８）。最後に、ＡＶ装置の電源を待機状態とし（Ｓ０６０９）、ＥＰＧ情報取得処理を終了する。また、エラー訂正回数が所定の回数以上であった場合には（Ｓ０６０６ＮＯ）、所定の回数だけＥＰＧ情報の受信をリトライし（Ｓ０６０７ＹＥＳ）、所定の回数を超えた場合には（Ｓ０６０７ＮＯ）、ＥＰＧ情報の受信を終了し、ＡＶ装置の電源を待機状態とする（Ｓ０６０９）。
【０００５】
しかし、図６に示すようなＥＰＧ情報の取得処理は、地上波アナログ放送を視聴しなくなった後においては、無駄な処理となってしまう。そこで、特許文献１には、アナログ放送とデジタル放送を選択的に切り換えて出力することのできる放送受信装置が開示されている。これにより、ユーザはアナログ放送からデジタル放送への切り換えを自ら行うことができるようになる。
【特許文献１】特開２００６−８６８６４号公報
【発明の開示】
【発明が解決しようとする課題】
【０００６】
しかし、地上波アナログ放送から地上波デジタル放送に移行するに伴い、地上波アナログ放送を使用しないにもかかわらず、特許文献１に記載の切り換え操作を行ってない場合や、ＥＰＧ情報取得設定をＯＦＦとしていない場合には、地上波アナログ放送のＥＰＧ情報取得を継続して行うため、不必要な電力を消費することとなる。また、外乱のノイズ等の不具合により正しくＥＰＧ情報を取得できず、規定値以上のエラー訂正回数を必要とする場合には、再度ＥＰＧ情報の取得を行い、不必要な電力を消費することとなるという問題がある。
【課題を解決するための手段】
【０００７】
上記課題を解決するために、（１）本発明は、地上波アナログチューナと、待機電源状態を検知して電源状態を待機状態から切り換え、地上波アナログチューナにて取得した信号から地上波アナログ放送のＥＰＧ情報を取得するアナログＥＰＧ取得部と、地上波アナログ放送が停波したことを検知する停波検知部と、停波検知部での検知結果が停波したとの検知結果である場合には、それ以降アナログＥＰＧ取得部が起動しない状態にする停止部と、を有する省エネ型ＡＶ装置を提供する。また、（２）本発明は、アナログＥＰＧ取得部が、前記切換動作として電源状態を装置稼動状態に切り換える動作を実行する稼動状態切換手段を有する省エネ型ＡＶ装置を提供する。さらに、（３）本発明は、停波検知部が、地上波アナログ放送に含まれるべき同期信号の検出・非検出に基づいて前記停波の検知を行なう同期信号検出手段を有する省エネ型ＡＶ装置を提供する。また、（４）本発明は、同期信号検出手段は、前記同期信号非検出が所定のタイミングで所定の回数連続したことで前記停波を検知する省エネ型ＡＶ装置を提供する。
【発明の効果】
【０００８】
本発明の省エネ型ＡＶ装置によれば、停波検知部により地上波アナログ放送の停波を検知することにより、それ以降のアナログＥＰＧ取得を行わないようにすることができる。これにより、アナログＥＰＧ取得のために装置を稼動状態とするといった無駄な電力の消費を削減することができる。また、地上波アナログ放送の停波を地上波アナログ放送の同期信号の検出・非検出に基づいて判断することにより、ＥＰＧ取得エラーによるＥＰＧ情報の再取得にかかる電力消費を削減することができる。
【発明を実施するための最良の形態】
【０００９】
以下に図面を用いて本発明の実施の形態を説明する。なお、本発明は、これらの実施の形態に限定されるものではなく、その要旨を逸脱しない範囲において、種々なる態様で実施しうる。なお、実施形態１は、主に請求項１、２、５について説明する。実施形態２は、主に請求項３、４について説明する。
【００１０】
<<実施形態１>>
<実施形態１の概要>
本実施形態は、地上波アナログ放送の停波を検知することにより、地上波アナログ放送のＥＰＧ情報の取得を停止し、無駄な電力の消費を削減することのできる省エネ型ＡＶ装置に関する。
【００１１】
<実施形態１の構成>
図１に本実施形態の機能ブロックの一例を示した。本実施形態の「省エネ型ＡＶ装置」（０１００）は、「地上波アナログチューナ」（０１０１）と、「アナログＥＰＧ取得部」（０１０２）と、「停波検知部」（０１０３）と、「停止部」（０１０４）とを有する。また、アナログＥＰＧ取得部は、さらに「稼動状態切換手段」（０１０５）を有していてもよい。
【００１２】
「地上波アナログチューナ」（０１０１）は、地上波アナログ放送を受信するように構成されている。図に示すように、アンテナ（０１１０）によって地上波アナログ放送を受信する。地上波アナログ放送波を受信して映像を表示するまでの流れの一例を、図２を用いて簡単に説明する。図に示すＡＶ装置（０２００）は、別に地上波デジタルチューナ（図示せず）を有し、地上波アナログ放送だけでなく、地上波デジタル放送も受信することが可能であるとする。この場合には、地上波アナログ放送により、音声や映像などのデータをアンテナ（０２０１）を介して地上波アナログチューナ（０２０２）にて受信する。次に、受信した信号をＡＤＣ（０２０３）によりデジタル変換し、デコーダ（０２０４）にて復号する。そして、ＤＡＣ（０２０５）にて再度アナログデータとし、映像出力部（０２０６）から映像として出力する。
【００１３】
「アナログＥＰＧ取得部」（０１０２）は、待機電源状態を検知して電源状態を待機状態から切り換え、地上波アナログチューナ（０１０１）にて取得した信号から地上波アナログ放送のＥＰＧ情報（以下、アナログＥＰＧという。）を取得するように構成されている。前述のように、アナログ放送波によってアナログＥＰＧを送信する時間は、所定の時間に定められており、アナログＥＰＧ取得部は、その定められた時間にアナログＥＰＧを取得する処理を行うように設定することができる。例えば、１日に５回（０６：０２、０９：０２、１３：０２、１９：０２、２３：０２）アナログＥＰＧの取得処理を行うように設定することができる。この時間は、ＡＶ装置においてデフォルトで定められているものであってもよいし、ユーザが設定するものであってもよい。また、「待機電源状態を検知」する理由は、ＡＶ装置の電源が投入されており、放送を受信している稼動状態である場合には、アナログＥＰＧの取得動作は行われないためである。そのため、アナログＥＰＧを取得する所定の時間にＡＶ装置の待機電源状態を検知した場合にのみ、電源状態を待機状態から切り換え、アナログＥＰＧの取得処理を開始する。アナログＥＰＧは、上述したように、地上波アナログ放送電波のＶＢＩを使用して送信されている。アナログＥＰＧ取得部では、受信した地上波アナログ放送波の中からアナログＥＰＧの含まれる箇所を抜き出し、アナログＥＰＧを展開・復号することによりアナログＥＰＧを得ることができる。
【００１４】
アナログＥＰＧ取得の流れの一例を、図２を用いて簡単に説明する。図２において、アナログＥＰＧ取得部は、アナログＥＰＧ取得用スライサー（０２０８）、制御部（０２０９）、電源（０２１０）からなる。アナログＥＰＧの取得設定はデフォルトで定められていてもよいが、表示部（０２１１）や操作入力部（０２１２）を用いて、ユーザにより取得設定されていてもよい。まず、ＣＰＵ、ＲＯＭ、ＲＡＭなどからなる制御部（０２０９）にて電源（０２１０）の状態を監視しておく。アナログＥＰＧを取得する所定の時間に電源が待機電源状態であることを検知した場合には、電源状態を待機電源状態から切り換え、地上波アナログチューナ（０２０２）にてアナログＥＰＧを含んだ地上波アナログ放送を受信する。そして、アナログＥＰＧ取得用スライサー（０２０８）により、受信した信号からアナログＥＰＧを抜き出し、復号してメモリに保存しておく。
【００１５】
また、アナログＥＰＧ取得部は、「稼動状態切換手段」（０１０５）を有していてもよい。「稼動状態切換手段」（０１０５）は、アナログＥＰＧ取得部の行う電源状態の切換動作として、電源状態を装置稼動状態に切り換える動作を実行するように構成されている。「装置稼動状態」とは、地上波アナログ放送の受信に必要な部分のみでなく、ＡＶ装置全体に電力が供給されている状態をいう。現在の多くのＡＶ装置においては、ＥＰＧ情報の取得時には、ＡＶ装置全体に電力が供給されるように構成されていることが多い。例えば、地上波アナログチューナだけでなく、地上波デジタルチューナにも電力が供給される。したがって、アナログＥＰＧの取得時に多くの電力を消費する原因となっている。これは、アナログＥＰＧの取得に必要な構成にのみ電力を供給するような回路を搭載して制御すると、ＡＶ装置全体の電源を稼動させるよりも装置の部品コストがかかってしまうためである。稼動状態切換手段は、所定のアナログＥＰＧの取得時に、ＡＶ装置の電源状態を待機電源状態から装置稼動状態に切り換える。これにより、アナログＥＰＧ取得部が起動し、アナログＥＰＧ取得部は、アナログＥＰＧの取得処理を行う。
【００１６】
「停波検知部」（０１０３）は、地上波アナログ放送が停波したことを検知するように構成されている。地上波アナログ放送の停波を検知することができれば、その検知方法は特に限定されない。例えば、内蔵時計の日時を監視し、地上波アナログ放送の完全停波が予定されている２０１１年７月２５日となった際に、アナログ放送が停波したと検知するようにしてもよいし、地上波デジタル放送が開始され地上波デジタル放送波を検知した場合に、地上波アナログ放送が停波したと検知するようにしてもよい。このような場合には、すでに地上波デジタル放送が開始されている、又は開始されていると考えられるため、地上波アナログ放送が停波したとみなしても支障はないと考えられるためである。また、地上波アナログ放送の放送波を検出できなくなったことにより停波を検知するようにしてもよい。なお、停波検知部は、ＣＰＵ、ＲＯＭ、ＲＡＭなどから構成することができる。
【００１７】
「停止部」（０１０４）は、停波検知部（０１０３）での検知結果が停波したとの検知結果である場合には、それ以降アナログＥＰＧ取得部（０１０２）が起動しない状態にするように構成されている。「それ以降」とは、アナログＥＰＧを取得するために設定されている所定の時間のうち、停波検知部にて地上波アナログ放送の停波を検知したアナログＥＰＧの取得時間より後をいう。また、「アナログＥＰＧ取得部が起動しない状態」とは、アナログＥＰＧを取得しないように制御されている状態、すなわち、アナログＥＰＧの取得のために所定の時間に電源状態を待機状態から切り換えないように制御されている状態をいう。例えば、アナログＥＰＧ取得設定をＯＦＦに変更することにより、アナログＥＰＧ取得部が起動しない状態とすることができる。また、アナログＥＰＧ取得部への電源供給を停止するようにしてもよい。これにより、アナログＥＰＧ取得部が起動しないため、待機電源状態のＡＶ装置の電源を切り換えてアナログＥＰＧの取得が行われず、アナログＥＰＧ取得のための電力消費を削減することができる。したがって、本発明のＡＶ装置は、「省エネ型ＡＶ装置」といえる。なお、停止部は、ＣＰＵ、ＲＯＭ、ＲＡＭなどから構成することができる。
【００１８】
停波検知部と停止部の処理の流れを、地上波デジタル放送波の検知によって地上波アナログ放送の停波の検知行う場合を例として説明する。まず、停波検知部のＣＰＵは、ＲＯＭの所定の領域に保存されている停波検知プログラムを起動する。そして、停波検知プログラムに従い地上波デジタルチューナを用いて、地上波デジタル放送が行われる所定の周波数の受信を行う。このとき、所定の周波数域にて放送波を受信できた場合には「０」、所定の周波数域にて放送波を受信できなかった場合には「１」のフラグを立て、停止部に出力するようにする。地上波デジタル放送波が検知された場合であっても、実際には地上波アナログ放送が停波されているわけではないが、地上波アナログ放送と地上波デジタル放送とがともに存在する状態においては、地上波アナログ放送は不要となるため、地上波アナログ放送の停波とみなしても問題はない。停波検知部から出力されたフラグにより、停止部は、停波検知部の検知結果を知ることができる。停止部のＣＰＵは、停波検知部の「０」又は「１」の検知結果と停止部の処理を対応付けたテーブルをＲＯＭの所定の領域からＲＡＭに読み出し、該テーブルに従い、ＣＰＵは処理を行う。例えば、検知結果が「０」の場合には、地上波アナログ放送が停波されたと判断できるため、それ以降アナログＥＰＧ取得部が起動しないように、例えばアナログＥＰＧ取得設定をＯＦＦとする処理を行う。
【００１９】
また、停止部は、ユーザ操作によりアナログＥＰＧ取得部の起動設定を変更可能なように停止するように構成されていてもよい。例えば、アナログＥＰＧの取得設定をＯＦＦにすることにより、アナログＥＰＧ取得部が起動しないようにした後においても、アナログＥＰＧ取得部が起動できるようにしておく。これにより、再度アナログＥＰＧを取得することが可能となる。その際に、アナログＥＰＧの取得を停止したことを表示や音声などによりユーザに報知するようにすることが好ましい。これにより、ユーザは報知内容を確認し、そのままアナログＥＰＧの取得を停止するか、再度アナログＥＰＧの取得を行うように設定し直すかを判断することができる。
【００２０】
<実施形態１の処理の流れ>
図３は、実施形態１の処理の流れの一例を示した図である。まず、アナログＥＰＧの取得時間前に、ＡＶ装置の待機電源状態を検知し（Ｓ０３０１）、電源状態が待機状態である場合には、ＡＶ装置を稼動させる（Ｓ０３０２）。そして、地上波アナログ放送が停波されていない場合には（Ｓ０３０３ＮＯ）、地上波アナログチューナにて地上波アナログ放送を受信し、取得した信号からアナログＥＰＧを取得する（Ｓ０３０４）。Ｓ０３０４の流れは、図６のＳ０６０３からＳ０６０８と同様である。しかし、停波検知ステップにて地上波アナログ放送の停波を検知した場合には（Ｓ０３０３ＹＥＳ）、それ以降のアナログＥＰＧ取得を停止する（Ｓ０３０５）。ここで、アナログＥＰＧ取得とは、Ｓ０３０１からＳ０３０４の処理をいい、Ｓ０３０５においてアナログＥＰＧ取得を停止した後においてはＳ０３０１のステップも行わない。
【００２１】
なお、以上の処理は、計算機に実行させるためのプログラムで実行させることができ、また、このプログラムを計算機によって読み取り可能な記録媒体に記録することができる（本明細書の全体を通して同様である。）。
【００２２】
<実施形態１の効果>
本実施形態の省エネ型ＡＶ装置によれば、停波検知部により地上波アナログ放送の停波を検知することにより、ユーザが設定操作をすることなく、それ以降のアナログＥＰＧ取得を行わないようにすることができる。これにより、ユーザは煩わしい操作をすることがなく、また、アナログＥＰＧ取得のために装置を稼動状態とするといった無駄な電力の消費を削減することができる。
【００２３】
<<実施形態２>>
<実施形態２の概要>
本実施形態は、地上波アナログ放送の停波を地上波アナログ放送に含まれる同期信号に基づいて判断し、アナログＥＰＧの取得を停止する省エネ型ＡＶ装置に関する。
【００２４】
<実施形態２の構成>
図４に本実施形態の機能ブロックの一例を示した。本実施形態の「省エネ型ＡＶ装置」（０４００）は実施形態１を基本とし、「地上波アナログチューナ」（０４０１）と、「アナログＥＰＧ取得部」（０４０２）と、「停波検知部」（０４０３）と、「停止部」（０４０４）と、アナログＥＰＧ取得部が「稼動状態切換手段」（０４０５）とを有し、停波検知部が「同期信号検出手段」（０４０６）を有する。
【００２５】
「同期信号検出手段」（０４０６）は、停波検知部（０４０３）の有する手段であり、地上波アナログ放送に含まれるべき同期信号の検出・非検出に基づいて前記停波の検知を行うように構成されている。「前記停波の検知」とは、停波検知部での地上波アナログ放送の停波の検知をいう。同期信号の検出・非検出は、例えば、映像信号の区切りを表すために送信される所定の同期信号を、地上波アナログ信号から分離することができるかによって判断することができる。したがって、停波検知部は、上述した所定の時間帯において、ＥＰＧ情報サービスが提供されるアナログ放送を受信し同期信号が検出できない場合は、地上波アナログ放送が停波されていると判断することができ、逆に同期信号を検出できた場合には、地上波アナログ放送はまだ停波されていないと判断することができる。図２においては、ＣＰＵ、ＲＯＭ、ＲＡＭなどからなる制御部（０２０９）と、同期信号分離部（０２０７）が、同期信号検出手段に該当する。同期信号検出手段を有する停波検知部の処理は、例として以下のように行うことができる。制御部のＣＰＵは、ＲＯＭの所定の領域に保存されている同期信号検出プログラムを起動する。そして、同期信号分離部は、該プログラムに従い放送波から同期信号を分離する。このとき、同期信号が分離できた場合には「１」のフラグ、同期信号が分離できなかった場合には「０」のフラグを立て、停止部に出力するようにする。これにより、停止部は、停波検知部の検知結果を知ることができる。なお、同期信号検出手段における同期信号の検出は、通常の映像出力処理時に行う同期信号判別と同様であり、共通の構成を利用することができる。
【００２６】
この同期信号の検出・非検出は、アナログＥＰＧの取得処理以前に行うようにすることが好ましい。アナログＥＰＧの取得処理以前に行うことにより、実際に地上波アナログ放送が停波されているにもかかわらずアナログＥＰＧを取得しようとして、何度も図６のＳ０６０４からＳ０６０６に示すようなアナログＥＰＧの検出エラーを判別するといったことがない。そのため、エラー検出にかかる無駄な電力消費を削減することができる。また、同期信号検出手段は、同期信号が所定回数（例えば３回）連続して検出できなかった場合に、同期信号非検出と判断するようにすることが好ましい。このように複数回の判定を行うことにより、ノイズ等の理由により同期信号が検出できなかった場合に、誤って同期信号非検出と判断されることがない。
【００２７】
また、同期信号検出手段は、前記同期信号非検出が所定のタイミングで所定の回数連続したことで前記停波を検知するように構成されていてもよい。ノイズ等の何らかの理由により同期信号を検出できない場合もあるため、同期信号が検出されなかった場合に、すぐに地上波アナログ放送の停波と判断することは、好ましくない。そのため、同期信号非検出が所定のタイミングで所定の回数連続したことで前記停波を検知することが好ましい。「所定のタイミング」とは、３日間や、１週間のような一定の期間をいう。このように期間を定めることにより、電源が待機状態でないためにＥＰＧ取得処理が数日間行われなかったような場合であっても、同期信号非検出の判断を行うことができる。また、「所定の回数」とは、２回や、５回のように定めることができる。例えば、ＥＰＧ取得処理が行われなかった場合を除き、３回連続同期信号が検出できなかった場合に、地上波アナログ放送が停波されたと判断するように構成することができる。このように複数回の判断を行うことにより、誤ってアナログＥＰＧの取得を停止してしまう可能性を少なくすることができる。
【００２８】
<実施形態２の処理の流れ>
図５に本実施形態の処理の流れの一例を示している。まず、アナログＥＰＧの取得時間前に、ＡＶ装置の待機電源状態を検知し（Ｓ０５０１）、電源状態が待機状態である場合には、ＡＶ装置を稼動させる（Ｓ０５０２）。次に、本実施形態においては、同期信号が検出できなかった場合に（Ｓ０５０３ＮＯ）、地上波アナログ放送が停波されたと検知し、それ以降のアナログＥＰＧ取得（Ｓ０５０１からＳ０５０４）を停止する（Ｓ０５０５）。
【００２９】
<実施形態２の効果>
本実施形態の省エネ型ＡＶ装置によれば、実施形態１の効果に加え、地上波アナログ放送の停波を地上波アナログ放送の同期信号の検出・非検出に基づいて判断することができる。これにより、ＥＰＧ取得エラーによるアナログＥＰＧの再取得にかかる電力消費を削減することができる。
【図面の簡単な説明】
【００３０】
【図１】実施形態１を説明する機能ブロック図
【図２】実施形態１を説明する機能ブロック図（２）
【図３】実施形態１の処理の流れの一例を示す図
【図４】実施形態２を説明する機能ブロック図
【図５】実施形態２の処理の流れの一例を示す図
【図６】従来のアナログＥＰＧの取得処理の一例を示す図
【符号の説明】
【００３１】
０４００    省エネ型ＡＶ装置
０４０１    地上波アナログチューナ
０４０２    アナログＥＰＧ取得部
０４０３    停波検知部
０４０４    停止部
０４０５    稼動状態切換手段
０４０６    同期信号検出手段
０４１０    アンテナ
０４２０    電源
【図１】
2008118487.tif 000003
【図２】
2008118487.tif 000004
【図３】
2008118487.tif 000005
【図４】
2008118487.tif 000006
【図５】
2008118487.tif 000007
【図６】
2008118487.tif 000008